(57)【要約】【課題】  ゴルファーの手の大きさに応じて伸縮し、しかもグリップを阻害することのないフリーサイズ対応型のゴルフ用手袋を実現する。【解決手段】  縦、横、斜め方向に伸縮可能な伸縮生地２と、伸縮生地よりも伸縮性は劣るが防滑性の良好な合成皮革、人工皮革、または天然皮革製の皮革生地をつなぎ合わせて縫製したゴルフ用手袋において、手袋の掌部を３箇所以上の領域に分割するとともに、各領域を皮革生地１Ａ、１Ｂ、１Ｃで構成し、上記の各皮革生地同士を伸縮生地を介して連結するか、または掌部に配した伸縮生地上に上記の各皮革生地を縫着することにより掌部を伸縮可能とする。【選択図】  図１
2019107413.tif 000002
【特許請求の範囲】
【請求項１】
縦、横、斜め方向に伸縮可能な伸縮生地と、伸縮生地よりも伸縮性は劣るが防滑性の良好な合成皮革、人工皮革、または天然皮革製の皮革生地をつなぎ合わせて縫製したゴルフ用手袋において、手袋の掌部を３箇所以上の領域に分割するとともに、各領域を皮革生地で構成し、上記の各皮革生地同士を伸縮生地を介して連結するか、または掌部に配した伸縮生地上に上記の各皮革生地を縫着することにより掌部を伸縮可能としたことを特徴とするゴルフ用手袋。
【請求項２】
手袋の甲部から各指部の付け根にかけて伸縮生地を配し、この伸縮生地を人指し指部、中指部、薬指部および小指部の指背側の付け根から先端の各指の全長方向にかけて延設し、上記各指部の主に指腹部に位置する残余の部分に皮革生地を配して両者を縫着するとともに、皮革生地からなる上記の各指部の残余の部分の中途に切り欠きを設け、この切り欠き内に伸縮生地を縫着した請求項１記載のゴルフ用手袋。
【請求項３】
手袋の親指部の人指し指側の側縁側の付け根から先端の親指の全長方向にかけて手袋の甲部の伸縮生地を延設するともに、上記親指の伸縮生地の一部を半島状に指背側まで延設し、残余の部分に皮革生地を配して両者を縫着した請求項２記載のゴルフ用手袋。  
【請求項４】
手袋の甲部から各指部にかけて伸縮生地を配し、人指し指部、中指部、薬指部および小指部の指腹側および両側縁側の付け根から先端の各指の全長方向にかけて皮革生地を重ねて縫着するとともに、上記の皮革生地からなる各指部の中途に切り欠きを設けた請求項１記載のゴルフ用手袋。
【請求項５】
手袋の甲部から各指部にかけて伸縮生地を配し、親指部の指腹側、指背側および外側の縁側の付け根から先端の全長方向にかけて皮革生地を重ねて縫着するとともに、上記の皮革生地からなる親指部の中途を半島状に指背側まで延設した請求項４記載のゴルフ用手袋。  
【発明の詳細な説明】
【技術分野】
【０００１】
この発明はゴルフ用手袋に関し、より詳細にはゴルファーの手の大きさに応じて伸縮し、しかもグリップを阻害することのないフリーサイズ対応型のゴルフ用手袋に関する。
【背景技術】
【０００２】
一般的なゴルフ用手袋は、人によって異なるゴルファーの手の大きさに対応できるように１ｃｍ刻みでサイズを違えたものを用意している。
【０００３】
通常、男性用のゴルフ用手袋は、２１・２２・２３・２４・２５・２６ｃｍの６サイズを用意している（ただし２１ｃｍと２６ｃｍはまれにしかいない。）。あるいは、ＸＳ／Ｓ／Ｍ／Ｌ／ＸＬなどのサイズ表記を用いることもあり、この場合は、一般的にはＳ／Ｍ／Ｌの３サイズから選んでいる。女性用のゴルフ用手袋も同じように１８・１９・２１ｃｍの３サイズを用意している。
【０００４】
一方、人間の手の形状は、長い・短い、太い・細い、厚い・薄いなど、千差万別だが、現在販売されているほとんどのゴルフ用手袋は標準的な形状で作られているため、例え同サイズであってもすべてのゴルファーが満足できるわけではない。
【０００５】
一般的にゴルフ用手袋は、１サイズごとに縦寸法が３ｍｍ、横寸法が４ｍｍずつ違うように作られている。つまり、設計上、２２ｃｍのグローブと２５ｃｍのグローブの違いは、縦１２ｍｍ、巾１６ｍｍの違いとなる。
【０００６】
以上の問題点を解消するために、縦、横、斜め方向に伸縮可能な伸縮生地と、伸縮生地よりも伸縮性は劣るが防滑性の良好な合成皮革、人工皮革、または天然皮革製の皮革生地をつなぎ合わせて縫製したゴルフ用手袋が提案されている。特許文献１には縦、横、斜めいずれの方向にも自在に伸縮する伸縮生地で手袋本体をなす甲部側及び掌部側の大部分が形成されたゴルフ用手袋であって、手袋本体の掌部側に、伸縮生地よりも伸縮性は劣るが防滑性の良好な合成皮革、人工皮革、あるいは天然皮革製の防滑薄片を、掌部側の人指し指片、中指片、薬指片及び小指片の各先端部付近から手袋本体の手首側の下端部付近に至るまで伸縮生地が途絶えることなく連続して露出されるように縫着したことを特徴とするゴルフ用手袋が記載されている。
【先行技術文献】
【特許文献】
【０００７】
【特許文献１】国際公開ＷＯ９９／５５４３３号公報
【発明の開示】
【発明が解決しようとする課題】
【０００８】
前記の特許文献１に記載のゴルフ用手袋は、僅かなサイズの違いや長い・短い、太い・細い、厚い・薄いなどの手の形状の違いに対応できる優れた効果を有する。
【０００９】
しかしながら、サイズの大きな違いに対応し、一つのゴルフ用手袋で全サイズに対応するフリーサイズ化には対応できなかった。
【００１０】
この場合、伸縮生地の比率を高めれば、フリーサイズ化が可能なことは当業者であれば容易に想到できるところであるが、ことゴルフ用手袋においては、伸縮生地の比率を高めた場合には、手にフィットするとしても素材的に滑り易く、グリップを確実なものにすることができずにミスショットの原因になるという不具合があり、防滑性の良好な合成皮革、人工皮革、または天然皮革製の皮革生地の比率を低くすることはできなかった。
【課題を解決するための手段】
【００１１】
この発明は前記の問題を解消したゴルフ用手袋を提供することを目的として創作されたものであり、縦、横、斜め方向に伸縮可能な伸縮生地と、伸縮生地よりも伸縮性は劣るが防滑性の良好な合成皮革、人工皮革、または天然皮革製の皮革生地をつなぎ合わせて縫製したゴルフ用手袋において、手袋の掌部を３箇所以上の領域に分割するとともに、各領域を皮革生地で構成し、上記の各皮革生地同士を伸縮生地を介して連結するか、または掌部に配した伸縮生地上に上記の各皮革生地を縫着することにより掌部を伸縮可能としたことを特徴とする。
【００１２】
また、請求項２記載の発明においては前記のゴルフ用手袋において、手袋の甲部から各指部の付け根にかけて伸縮生地を配し、この伸縮生地を人指し指部、中指部、薬指部および小指部の指背側の付け根から先端の各指の全長方向にかけて延設し、上記各指部の主に指腹部に位置する残余の部分に皮革生地を配して両者を縫着するとともに、皮革生地からなる上記の各指部の残余の部分の中途に切り欠きを設け、この切り欠き内に伸縮生地を縫着したことを特徴とする。
【００１３】
また、請求項３記載の発明においては前記のゴルフ用手袋において、手袋の親指部の人指し指側の側縁側の付け根から先端の親指の全長方向にかけて手袋の甲部の伸縮生地を延設するともに、上記親指の伸縮生地の一部を半島状に指背側まで延設し、残余の部分に皮革生地を配して両者を縫着したことを特徴とする。
【００１４】
また、請求項４記載の発明においては前記のゴルフ用手袋において、手袋の甲部から各指部にかけて伸縮生地を配し、人指し指部、中指部、薬指部および小指部の指腹側および両側縁側の付け根から先端の各指の全長方向にかけて皮革生地を重ねて縫着するとともに、上記の皮革生地からなる各指部の中途に切り欠きを設けたことを特徴とする。
【００１５】
また、請求項５記載の発明においては前記のゴルフ用手袋において、手袋の甲部から各指部にかけて伸縮生地を配し、親指部の指腹側、指背側および外側の縁側の付け根から先端の全長方向にかけて皮革生地を重ねて縫着するとともに、上記の皮革生地からなる親指部の中途を半島状に指背側まで延設したことを特徴とする。
【発明の効果】
【００１６】
以上の構成よりなるこの発明のゴルフ用手袋においては、手袋の掌部を３箇所以上の領域に分割するとともに、各領域を皮革生地で構成し、上記の各皮革生地同士を伸縮生地を介して連結するか、または掌部に配した伸縮生地上に上記の各皮革生地を縫着することにより掌部を伸縮可能としているので、一つのゴルフ用手袋が伸縮することによって人によって異なるゴルファーの掌の大きさに対応できるようになる。しかも、この場合、掌部には防滑性の良好な皮革生地が位置するので、グリップを損なうことなくミスショットの原因になるという不具合が生ずることがない。
【００１７】
次に、請求項２に係る発明によれば、手袋の甲部から各指部の付け根にかけて伸縮生地を配し、この伸縮生地を人指し指部、中指部、薬指部および小指部の指背側の付け根から先端の各指の全長方向にかけて延設するので、人によって異なるゴルファーの指の大きさに対応できるようになる。しかも、この場合、残余の部分、すなわち指腹側および両側縁側の付け根から先端の各指の全長方向にかけて防滑性の良好な皮革生地が位置するので、グリップを損なうことなくミスショットの原因になるという不具合が生ずることがない。そして、上記の各指部の皮革生地部分の中途に切り欠きを設け、この切り欠き内には伸縮生地が縫着されるので、皮革生地を使用してもこの切り欠き部分が伸縮して各指部の全長方向の伸縮にも対応することが可能となる。
【００１８】
次に、請求項３に係る発明によれば、手袋の親指部の人指し指側の側縁側の付け根から先端の親指の全長方向にかけて手袋の甲部の伸縮生地を延設するので、人によって異なるゴルファーの指の大きさに対応できるようになる。しかも、この場合、残余の部分、すなわち親指部の指腹側、指背側および外側の縁側の付け根から先端の全長方向にかけて防滑性の良好な皮革生地が位置するので、グリップを損なうことなくミスショットの原因になるという不具合が生ずることがない。そして、上記の親指部の皮革生地部分の中途に半島状の切り欠きが設けられ、この切り欠き内には伸縮生地が位置するので、皮革生地を使用してもこの切り欠き部分が伸縮して各指部の全長方向の伸縮にも対応することが可能となる。
【００１９】
また、請求項４および５に係る発明によれば、各指部において、請求項２および３に係る発明が伸縮生地と皮革生地をつなぎ合わせて縫着しているのに対し、伸縮生地上に皮革生地を重ねて縫着している。
【００２０】
以上の構成よりなるこの発明のゴルフ用手袋によれば、３箇所以上の領域に分割して配した皮革生地間に位置する各伸縮生地の伸び代の合計の寸法分だけ手袋が伸縮し、さらに、各指部も配された伸縮生地により太さのみならず長さも伸縮するので、完全なフリーサイズのゴルフ用手袋を実現することができる。また、この場合、手袋の要所には従来通り防滑性の良好な皮革生地が位置するのでフリーサイズ化によりグリップを損なうなどの商品性の低下をきたすことがない。
【００２１】
よって、この発明によればゴルフ用手袋の生産性が向上しコストを軽減できるとともに、販売店においても各種サイズのゴルフ用手袋を揃えることが不要となるので、収益性が向上することになる。
【図面の簡単な説明】
【００２２】
【図１】この発明のゴルフ用手袋の正面図。
【図２】同上背面図。
【図３】同上平面図。
【図４】同上底面図。
【図５】同上左側面図。
【図６】同上右側面図。
【図７】同上リストバンドを外した状態の正面図。
【図８】同上斜視図。
【図９】この発明のゴルフ用手袋の異なる実施例の正面図。
【図１０】この発明のゴルフ用手袋の異なる実施例の正面図。
【図１１】この発明のゴルフ用手袋の異なる実施例の正面図。
【図１２】この発明のゴルフ用手袋の異なる実施例の正面図。
【図１３】この発明のゴルフ用手袋の異なる実施例の正面図。
【図１４】この発明のゴルフ用手袋の異なる実施例の正面図。
【図１５】この発明のゴルフ用手袋の異なる実施例の正面図。
【図１６】この発明のゴルフ用手袋の異なる実施例の正面図。
【発明を実施するための最良の形態】
【００２３】
次にこの発明のゴルフ用手袋の具体的実施例を添付図面に基づいて説明する。図１〜図８はこの発明のゴルフ用手袋の第１実施例を示す図である。この発明のゴルフ用手袋Ｇ１は縦、横、斜め方向に伸縮可能な伸縮生地と、伸縮生地よりも伸縮性は劣るが防滑性の良好な合成皮革、人工皮革、または天然皮革製の皮革生地をつなぎ合わせて縫製して構成される。伸縮生地としてはナイロンやポリエステルと一緒にポリウレタンを編み込んだツーウェイトリコットと呼ばれる布地や、ツーウェイトリコットにウレタン樹脂を含浸させ又はウレタンシートを貼り合わせた合成皮革等が公知であるが、これらに限られないことは勿論である。防滑性の良好な皮革生地としては例えば東レコーテックス社製の合成皮革が公知であるが、これに限られないことは勿論である。
【００２４】
この発明のゴルフ用手袋の最大の特徴は手袋の掌部を３箇所以上の領域に分割するとともに、各領域を皮革生地で構成し、上記の各皮革生地同士を伸縮生地を介して連結するか、または掌部に配した伸縮生地上に上記の各皮革生地を縫着することにより掌部を伸縮可能とした点にある。図１は前記の特徴が現れている手袋の掌箇所の正面図であるが、ここでは掌部を指部分から手首部分にかけて、上下三段の３箇所の領域に分割し、それぞれを皮革生地１Ａ、１Ｂ、１Ｃで構成している。なお、図中符号４Ａ、４Ｂは手首部分を構成する皮革生地である。
【００２５】
この実施例では以上の各皮革生地をその外縁に縫着される伸縮生地２を介して連結している。すなわち、各皮革生地間には伸縮生地２が位置し、この伸縮生地の伸縮により手袋のサイズが変化することになる。
【００２６】
この実施例のゴルフ用手袋は単に掌部ではなく、手袋の全域において伸縮するよう構成される。その場合の基本的な考えとしては、グリップに差し障りがない箇所は伸縮生地を使用し、それ以外の箇所には防滑性の良好な皮革生地を使用することが挙げられる。
【００２７】
前記伸縮生地２は手袋の全域に渡ってほぼ連続して配され、伸縮生地が位置しない箇所に前記の皮革生地が島状に配されることになる。図１の正面図および図２の背面図においては、手袋の甲部から各指部の付け根にかけて伸縮生地２が配された状態が表れているが、この伸縮生地２はそれぞれ人指し指部、中指部、薬指部および小指部の指背側の付け根から先端の各指の全長方向にかけて延設されて延設部２Ａ、２Ｂ、２Ｃ、２Ｄを構成する（図２参照）。一方、前記各指部の主に指腹部に位置する延設部２Ａ、２Ｂ、２Ｃ、２Ｄが存しない残余の部分には皮革生地３Ａ、３Ｂ、３Ｃ、３Ｄが配され（図１参照）、伸縮生地に縫着される。そして、前記皮革生地３Ａ、３Ｂ、３Ｃ、３Ｄの中途に切り欠きＡ、Ｂ、Ｃ、Ｄを設け、これらの切り欠き内に伸縮生地が縫着される。
【００２８】
伸縮生地２は手袋の親指部の人指し指側の側縁側の付け根から先端の親指の全長方向にかけても延設されて延設部２Ｅを構成する（図２参照）。一方、前記親指部の主に指腹側、指背側および外側の縁側に位置する延設部２Ｅが存しない残余の部分には皮革生地３Ｅが配され（図１参照）、伸縮生地に縫着される。この場合、前記親指の伸縮生地の延設部２Ｅの一部は半島状に指背側まで延設して延設部Ｅを構成する（図８参照）。
【００２９】
図中符号Ｓはゴルファーが手袋を装着するに際して手首箇所から甲箇所にかけて大きく開放させるために甲部の手首側端部から指方向にかけて切りかかれるスリットである（図２、図７、図８参照）。前記スリットＳの一側にはスリットのほぼ全長近くに渡る高さを有するリストバンド１０の一端が固定され、スリットの他側の甲部にはリストバンドの他端に設けられた係着部材１１が係着される被係着部材が設けられる。この被係着部材はスリットの上下２箇所に配されるもので、上方の被係着部材１１Ａは甲部の伸縮生地２上に縫着された皮革生地５Ａ上に、下方の被係着部材１１Ｂは手首部の伸縮生地２上に縫着された皮革生地４Ｂ上に縫着される。なお、前記の係着手段としてここでは面ファスナーを想定しているが、それに限定されないことは勿論である。
【００３０】
前記のリストバンド１０によれば、いままでスリットの長さの一部ほどの高さしかなかったリストバンドの高さをスリットのほぼ全長近くに渡るものとすることにより、手袋をしっかりと固定することが可能となる。一方、甲部に設ける被係着部材をスリットの上下２箇所に配し、それらは伸縮生地上に配されるので伸縮に伴って甲部の大きさが変わっても被係着部材の間隔もそれに追従して変化するのでスリット箇所において手袋に皺がよったり、ずれが生じることを防止できる。
【００３１】
前記したようにこの発明のゴルフ用手袋は３箇所以上の領域に分割して配した皮革生地間に位置する各伸縮生地の伸び代の合計の寸法分だけ手袋が伸縮するが、以上の実施例においては下記の通りとなる。
(1) 掌部に配した皮革生地１Ａと人指し指部、中指部、薬指部および小指部の付け根の皮革生地間に位置する伸縮生地２と、
掌部に配した皮革生地１Ａとその下の皮革生地１Ｂ間に位置する伸縮生地２と、
掌部に配した皮革生地１Ｂと手首部に配した皮革生地４Ａ間に位置する伸縮生地２の伸び代の合計で１２ｍｍから１４ｍｍ近くまで手袋の長さが伸びる。
(2) 掌部に配した皮革生地１Ａ、１Ｂ、１Ｃと、親指部の皮革生地３Ｅ間に位置する伸縮生地２と、
親指部の皮革生地３Ｅと、甲部の皮革生地５Ａ、手首部の皮革生地４Ｂ間に位置する伸縮生地２と、
甲部の皮革生地５Ａ、手首部の皮革生地４Ｂと、掌部に配した皮革生地１Ａ、１Ｂ、１Ｃ間に位置する伸縮生地２の伸び代の合計で１６ｍｍから１８ｍｍ近くまで手袋の巾が伸びる。
【００３２】
なお、以上の実施例においては各皮革生地をその外縁に縫着される伸縮生地を介して連結しているが、伸縮生地上に皮革生地を重ねて縫着してもよいことは勿論である。
【００３３】
図９〜図１６はこの発明のゴルフ用手袋の第２実施例から第９実施例を示す図であるが、前記第１実施例との相違点は手袋の掌部の領域の具体的な分割形状と分割数にあり、その余の構成は第１実施例と共通する。
【００３４】
図９はこの発明のゴルフ用手袋の第２実施例を示す図であり、ここでは手袋の掌部を上下４段の４箇所の領域に分割するとともに、各領域を皮革生地２０Ａ、２０Ｂ、２０Ｃ、２０Ｄで構成している。
【００３５】
図１０はこの発明のゴルフ用手袋の第３実施例を示す図であり、ここでは手袋の掌部を左右２つ、上下２つの枡目状の４箇所の領域に分割するとともに、各領域を皮革生地３０Ａ、３０Ｂ、３０Ｃ、３０Ｄで構成している。
【００３６】
図１１はこの発明のゴルフ用手袋の第４実施例を示す図であり、ここでは手袋の掌部をＸ状の分割線で区切られる枡目状の４箇所の領域に分割するとともに、各領域を皮革生地４０Ａ、４０Ｂ、４０Ｃ、４０Ｄで構成している。
【００３７】
図１２はこの発明のゴルフ用手袋の第５実施例を示す図であり、ここでは手袋の掌部を上方の２つの升が小さい、左右２つ、上下２つの枡目状の４箇所の領域に分割するとともに、各領域を皮革生地５０Ａ、５０Ｂ、５０Ｃ、５０Ｄで構成している。
【００３８】
図１３はこの発明のゴルフ用手袋の第６実施例を示す図であり、ここでは手袋の掌部を右上の升が三角形の、左右２つ、上下２つの枡目状の４箇所の領域に分割するとともに、各領域を皮革生地６０Ａ、６０Ｂ、６０Ｃ、６０Ｄで構成している。
【００３９】
図１４はこの発明のゴルフ用手袋の第７実施例を示す図であり、ここでは手袋の掌部を上方の３つの升が三角形の、Ｘ状の分割線で区切られる枡目状の４箇所の領域に分割するとともに、各領域を皮革生地７０Ａ、７０Ｂ、７０Ｃ、７０Ｄで構成している。
【００４０】
図１５はこの発明のゴルフ用手袋の第８実施例を示す図であり、ここでは手袋の掌部を左方が上下３つ、右方は上下２つの枡目状の５箇所の領域に分割するとともに、各領域を皮革生地８０Ａ、８０Ｂ、８０Ｃ、８０Ｄで構成している。
【００４１】
図１６はこの発明のゴルフ用手袋の第９実施例を示す図であり、ここでは手袋の掌部を上方が左右２つ、下方は上下２つ枡目状の４箇所の領域に分割するとともに、各領域を皮革生地９０Ａ、９０Ｂ、９０Ｃ、９０Ｄで構成している。
【符号の説明】
【００４２】
Ｇ１        ゴルフ用手袋
１Ａ        皮革生地
１Ｂ        皮革生地
１Ｃ        皮革生地
２          伸縮生地
【図１】
2019107413.tif 000003
【図２】
2019107413.tif 000004
【図３】
2019107413.tif 000005
【図４】
2019107413.tif 000006
【図５】
2019107413.tif 000007
【図６】
2019107413.tif 000008
【図７】
2019107413.tif 000009
【図８】
2019107413.tif 000010
【図９】
2019107413.tif 000011
【図１０】
2019107413.tif 000012
【図１１】
2019107413.tif 000013
【図１２】
2019107413.tif 000014
【図１３】
2019107413.tif 000015
【図１４】
2019107413.tif 000016
【図１５】
2019107413.tif 000017
【図１６】
2019107413.tif 000018